(57)【要約】      （修正有）【課題】コルゲート管の接続作業が正しく行われていることを確認し易いコルゲート管用差込み継手を提供する。【解決手段】コルゲート管用差込み継手１は、コルゲート管が継手本体１０の内孔の奥まで入って、段部２７の突当り面２６に当接したことを作業者に知らせるインジケータ手段７０を備える。インジケータ手段７０においては、コルゲート管（フレキシブル管）が突当り面２６に当接すると、電池７２のマイナス極に導通している金属線７４、同金属線７４が接触しているフレキシブル管、同フレキシブル管の端面が突当っている段部２７の突当り面２６、継手本体１０とネジ固定されているリテーナ押さえ５０、リテーナ押さえ５０と電球７３の一方の極とを電気的に接続している導線７６、電球７３の他方の極と電池７２のプラス極とを接続している導線７５、は電気的に接続して閉回路が形成され、微弱電流が流れて電球７３が点灯する。【選択図】図１
2009058094.tif 000002
【特許請求の範囲】
【請求項１】
外周に環状の凹凸が形成されたコルゲート管が挿入される内孔を有する筒状の継手本体と、
前記継手本体の内孔内に配置され、前記コルゲート管の外周面に密着する気密パッキンと、
前記内孔内に配置された、拡縮径可能であって縮径時に前記コルゲート管の環状凹部に係合する爪を有するリテーナと、
前記継手本体の内孔入口側に取り付けられた、前記リテーナが前記継手本体から抜け出すのを防止すると共に、前記リテーナを縮径させるリテーナ押さえと、
前記コルゲート管が前記内孔の奥まで入ったことを作業者に知らせるインジケータ手段と、
を備えるコルゲート管継手であって、
前記インジケータ手段が、前記コルゲート管の先端と前記継手本体内孔の奥との接触部位を含む閉回路が形成されたことを検知するための検知回路、及び、閉回路形成時にそれを表示する表示器を有することを特徴するコルゲート管継手。
【請求項２】
前記表示器が、閉回路形成時に点灯するランプであることを特徴とする請求項１記載のコルゲート管継手。
【発明の詳細な説明】
【技術分野】
【０００１】
本発明は、蛇腹状のコルゲート管をガス配管等に接続するための差込み継手に関し、特には、コルゲート管の接続作業が正しく行われたことを確認し易いコルゲート管用差込み継手に関する。
【背景技術】
【０００２】
図７は、建物のガス配管の例を模式的に示す図である。
この配管例においては、建物１００の外にガスメータ１１０が設置されており、ガスメータ１１０から建物１００側に向かって延び出したガス配管（鋼管）１０３の途中に接続部（チー）１０３ａが設けられている。この接続部１０３ａには、コルゲート管用差込み継手１０１を介してコルゲート管Ｔの端部が接続されている。コルゲート管Ｔの反対側の端部は、ガスコンセント１０５に繋がっている。このガスコンセント１０５には、例えばゴム管１０６を通じてガスストーブ等のガス機器１０７が接続されている。
【０００３】
従来のコルゲート管用差込み継手としては、本出願人らにより出願された特許文献１に係るものがある。
同文献記載の差込み継手は、コルゲート管が挿入される筒状の継手本体と、その内部に配置されたパッキンと、コルゲート管の径方向に縮径してコルゲート管外周の環状凹部に係合するリテーナ等を備えている。この差込み継手では、コルゲート管を継手本体内の奥まで挿入した後、手前に引き上げるだけで同管を継手本体内に固定できるので、ペンチやスパナ等の工具を用いることなく容易に接続できるという利点がある。
【０００４】
【特許文献１】特開２００２−５４７７６号公報
【発明の開示】
【発明が解決しようとする課題】
【０００５】
特許文献１記載の従来のコルゲート管用差込み継手は、簡単な作業でコルゲート管の接続を行うことができ、実用上問題はない。しかし、コルゲート管の接続作業が正常に行われていることを作業者が確認し易くする等の更なる改善の余地が残されている。
本発明は上記課題に鑑みてなされたものであって、その目的は、コルゲート管の接続作業が正しく行われていることを確認し易いコルゲート管用差込み継手を提供することにある。
【課題を解決するための手段】
【０００６】
上記目的を達成するための、本発明のコルゲート管用差込み継手は、  外周に環状の凹凸が形成されたコルゲート管が挿入される内孔を有する筒状の継手本体と、  前記継手本体の内孔内に配置され、前記コルゲート管の外周面に密着する気密パッキンと、  前記内孔内に配置された、拡縮径可能であって縮径時に前記コルゲート管の環状凹部に係合する爪を有するリテーナと、  前記継手本体の内孔入口側に取り付けられた、前記リテーナが前記継手本体から抜け出すのを防止すると共に、前記リテーナを縮径させるリテーナ押さえと、  前記コルゲート管が前記内孔の奥まで入ったことを作業者に知らせるインジケータ手段と、を備えるコルゲート管継手であって、  前記インジケータ手段が、前記コルゲート管の先端と前記継手本体内孔の奥との接触部位を含む閉回路が形成されたことを検知するための検知回路、及び、閉回路形成時にそれを表示する表示器を有することを特徴する。
【０００７】
本発明においては、コルゲート管を継手本体の最奥まで挿入したときに閉回路を形成する検知回路を有し、閉回路が形成されたことが表示器で表示されるので、コルゲート管を継手本体の最奥まで挿入する作業が正確に行われたことを感覚的に知ることができる。また、コルゲート管を継手本体の最奥まで挿入した後、同管を手前に引き上げることでコルゲート管を継手本体に固定するタイプのものでは、表示器の表示を確認後、コルゲート管を手前に引き上げればコルゲート管が継手本体中で固定されるとともに、閉回路が遮断されて表示器の表示が消えるので、コルゲート管の引き上げ作業が正常に行われたことを感覚的に知ることができる。つまり、コルゲート管の挿入作業と引き上げ作業の完了を視覚的に知ることができ、コルゲート管接続作業が正常に行われたことを確認しやすい。
【０００８】
本発明においては、  前記表示器が、閉回路形成時に点灯するランプであることが好ましい。
本発明によれば、コルゲート管が継手本体の最奥までの挿入されると、ランプが点灯するので、作業者が確認しやすい。コルゲート管を継手本体の最奥まで挿入した後、手前に引き上げてコルゲート管を継手本体に固定するタイプのものでは、コルゲート管が継手本体の最奥まで挿入された後で手前に引き上げると、ランプが消灯する。
【発明の効果】
【０００９】
本発明によれば、上述したように、コルゲート管が継手本体の最奥まで挿入されたことを表示器で表示するので、コルゲート管の接続を感覚 的に確認し易いコルゲート管用差込み継手を提供することができる。
【発明を実施するための形態】
【００１０】
以下、本発明のコルゲート管用差込み継手の一形態について、図面を参照しながら詳細に説明する。
図１（Ａ）は、本発明の第１の実施の形態に係るコルゲート管用差込み継手を示す断面図であり、図１（Ｂ）は図１（Ａ）の一部拡大図、図１（Ｃ）は一部側面図である。
図２（Ａ）は、コルゲート管差込み継手に、コルゲート管を奥付近まで挿入した状態を示す断面図であり、図２（Ｂ）は図２（Ａ）の一部拡大図である。
図３（Ａ）は、コルゲート管差込み継手に、コルゲート管を挿入完了した状態を示す断面図であり、図３（Ｂ）は図３（Ａ）の一部拡大図である。
図４（Ａ）は、図３の状態からコルゲート管をやや引き戻した状態を示す断面図であり、図４（Ｂ）は図４（Ａ）の一部拡大図である。
図５（Ａ）は、コルゲート管がコルゲート管差込み継手に固定された施工完了状態を示す図であり、図５（Ｂ）は図５（Ａ）の一部拡大図である。
図６は、リテーナの構造を示す図であり、図６（Ａ）は平面図、図６（Ｂ）は断面図、図６（Ｃ）は図６（Ｂ）の一部拡大図である。
なお、以下の説明では、特に断らない限り、「奥」とは図の下側（コルゲート管の先端側）を指し、「手前」とは図の上側（コルゲート管の元側、内孔の入口側）を指す。
【００１１】
図１に示すように、コルゲート管用差込み継手１は、コルゲート管Ｔが挿入される内孔を有するボディ５を備えており、その内部に後述する種々の部品が収容されている。コルゲート管Ｔ（図２参照）は、従来より市販されているものであり、外周に環状の凹凸が形成された蛇腹状のフレキシブル管２ａ（金属製）と、それを覆う被覆チューブ２ｂ（樹脂製）とを有している。コルゲート管Ｔの先端側は、被覆チューブ２ｂが剥ぎ取られ内側のフレキシブル管２ａが露出した状態となっている。
【００１２】
ボディ５は、略円筒状の継手本体１０と、該継手本体１０の入口に取り付けられたリテーナ押さえ５０とからなる。両者は後述するように螺合して固定される。
継手本体１０及びリテーナ押さえ５０はいずれも一例として銅合金製である。ボディ５の内部には、手前から順に、水密パッキン５５、インジケータ７０、リテーナ４０、気密パッキン３１、耐火パッキン３５、及び、ストッパ６０が収容されている。
【００１３】
継手本体１０は、図１に示すように全体として略円筒状であり、手前側の、外径が相対的に大きい本体部１０Ａと、その下端側（奥側）の、外径が相対的に小さい接続部１０Ｂと、を有する。接続部１０Ｂの外周には雄ネジ（図示されず）が切られている。この雄ネジを、チー１０３ａ（図７参照）などにねじ込むことで、継手本体１０がガス配管に接続される。
【００１４】
接続部１０Ｂの内孔の手前寄りの部分には、内側に突き出た段部２７が形成されており、この段部２７の手前側の面２６が、継手本体１０の軸線に対して垂直な突当り面２６となっている。この突当り面２６に、継手本体にコルゲート管Ｔを挿入したときに同管Ｔの先端部が突当る（図３参照）。
【００１５】
本体部１０Ａの内孔の最奥部には、ストッパ６０が収容されるストッパ収容部１１Ａが形成されている。ストッパ収容部１１Ａは、ストッパ６０が拡径できるように、ストッパ６０よりも大径に形成されている。
【００１６】
ストッパ６０は、例えば、平面形状がＣ字型の部材であり、拡径方向及び縮径方向に弾性変形可能となっている。ストッパ６０の内周には、内側に延び出した複数の爪が形成されている。各爪は、ストッパ６０の周方向に等間隔で配置されている。各爪の先端は、所定の角度で下向き（奥向き）に曲げられている。これにより、コルゲート管Ｔを引いた際に、各爪の先端がフレキシブル管２ａの環状凹部の斜面にほぼ垂直に当接する。
【００１７】
ストッパ収容部１１Ａの手前には、内方向に張り出した係止段部２８が設けられている。係止段部２８は、後述するように、ストッパ６０が係止される部分であり、同段部の内面２８ａは、手前に向って縮径のテーパ面となっている。
【００１８】
係止段部２８の手前には、耐火パッキン３５や気密パッキン３１が収容されるパッキン収容部１１Ｂが形成されている。耐火パッキン３５は、一例でＮＢＲに膨張黒鉛を混合した材料から作製され、火災時などに高温となった際に膨張してフレキシブル管２ａの外周と継手本体１０の内周との間をシールする。同パッキン３５は、比較的薄い円筒状であり、内径は気密パッキン３１の内径よりも大きい。気密パッキン３１は、一例でＮＢＲなどで作製され、耐火パッキン３５よりの厚い円筒状である。また、気密パッキン３１の内孔の上端部は面取りされており、コルゲート管を挿入しやすくなっている。
なお、図１に示す初期状態では、耐火パッキン３５は係止段部２８に支持されている。
【００１９】
パッキン収容部１１Ｂの手前には、同収容部１１Ｂよりも径がやや大きいリテーナ収容部１１Ｃが形成されている。同収容部１１Ｃにリテーナ４０が収容される。
【００２０】
図６を参照してリテーナについて説明する。
リテーナ４０は、全体として略環状に形成されており、図６（Ａ）、（Ｂ）に示すように、上部に形成された環状の支持部４２と、この支持部４２の下端に一体的に設けられた複数（この例では６つ）の爪部４３と、を有する。
【００２１】
各爪部４３は、図６（Ａ）に示すように、環状支持部４２の周方向に等間隔に配置されている。環状支持部４２と各爪部４３との接続部分は弾性的に変形可能であり、これにより、各爪部４３が、その付け根付近を支点として径方向に縮拡径可能となっている。各爪部４３の外面は、図６（Ｃ）に示すように、下に向って拡がる上テーパ面４３ａと、縦方向のストレート面４３ｂ、下側に向かってすぼまる下テーパ面４３ｃが、上から順に形成されている。また、各爪部４３の先端４３ｄは、径方向内側にせり出ている。リテーナ４０が自然な形状のとき（外力が加わっていない状態をいう）、先端４３ｄがなす円（図６（Ａ）参照）の径は、コルゲート管Ｔの外径とほぼ同じかやや大きい程度である。
【００２２】
各爪部４３には、金属製補強部材４５が埋め込まれている。金属製補強部材４５は、図６（Ｃ）に示すように、爪部４３の上テーパ面４３ａ及びストレート面４３ｂに露出していない。
【００２３】
リテーナ４０は、差込み継手の初期状態（図１参照）において、いずれの部材からも拘束を受けていない。つまり、リテーナ４０の各爪部４３の先端のみが、気密パッキン３１に当接しており、各爪部４３の上テーパ面４３ａ、ストレート面４３ｂ及び下テーパ面４３ｃは、リテーナ収容部１１Ｃの内面に接していない。
【００２４】
図１に示すように、リテーナ収容部１１Ｃの入口付近には、メネジ２９が切られている。このメネジ２９には、後述するリテーナ押さえ５０のオネジ５６が螺合する。
【００２５】
次に、リテーナ押さえ５０について説明する。
図１に示すように、リテーナ押さえ５０は、手前側が相対的に外径の大きい大径部５１であり、奥側が相対的に外径の小さい筒状挿入部５３である。筒状挿入部５３は、継手本体１０の内孔内に挿入される。筒状挿入部５３の外周下端部には、継手本体１０内のメネジ２９に螺合するオネジ５６が切られている。
図１に示すように、リテーナ押さえ５０の筒状挿入部５３の外周と継手本体１０の内周との間には、水密ＯリングＲ１が介装されており、これによりこの連結部の水密シール性が確保されている。
【００２６】
リテーナ押さえ５０の大径部５１の内側には水密パッキン５５が嵌め込まれている。水密パッキン５５は弾性体からなると共に、環状のヒレ部５５ａを有し、コルゲート管Ｔが挿入された際に、このヒレ部５５ａがコルゲート管Ｔの外周に密着してリテーナ押さえ５０の内周との間を水密シールする（図２〜図５参照）。
【００２７】
水密パッキン５５の下方の大径部５１の周壁には、横方向に貫通する貫通孔５１ａが形成されており、同貫通孔に、インジケータ７０が収容されている。図１（Ｂ）に示すように、インジケータ７０は、円柱状のゴム製の支持体７１を有し、同支持体７１内に、電池７２や電球７３などが支持されている。電池７２のマイナス極には、変形可能な金属線７４（一例でステンレス鋼製）が接続している。金属線７４の基部は支持体７１から延び出す支持部７１ａに支持されており、先端は露出して大径部５１の内孔内に突き出ている。
【００２８】
電池７２のプラス極と、電球７３の一方の極とは、導線７５で接続している。また、電球７３のもう一方の極に接続した導線７６は、支持体７１の外面に延びて、同面でリテーナ押さえ５０（大径部５１）の貫通孔５１ａの側壁に接触している。つまり、リテーナ押さえ５０と電気的に接続している。インジケータ７０の作動については後述する。
【００２９】
また、大径部５１の周壁には、同壁を横方向に貫通する貫通孔５１ｂが形成されており、この孔５１ｂ内には、通気部材５９（一例として「サンマップ（商品名）」、日東電工社製）が密に嵌め込まれている。通気部材５９は、高分子ポリエチレン等製の微小多孔質材から形成され、気体は通すが固体や液体は通さない性質を有する。
【００３０】
リテーナ押さえ５０の筒状挿入部５３の内周下端部には、手前に向かってすぼまる内テーパ面５７が形成されている。内テーパ面５７は、後述するリテーナ４０の外テーパ面４３ａに押し当たる。
【００３１】
次に、以上のような部品から構成された本実施形態のコルゲート管用差込み継手１の動作について図２〜図５を参照して説明する。
まず、図２に示すように、コルゲート管Ｔをリテーナ押さえ５０の内孔を通して継手本体１０に挿入する。コルゲート管先端部（フレキシブル管２ａ）の最も先側の環状凸部がストッパ６０を通過する際、ストッパ６０はフレキシブル管２ａの環状凸部で押し広げられ、ストッパ収容部１１Ａ内で拡径方向に変形する。前述のように、ストッパ６０はＣ字形であり、比較的容易に変形するので、コルゲート管Ｔをストッパ６０に通す力が小さくて済む。また、水密パッキン５５のヒレ部５５ａは折れ曲がり同コルゲート管Ｔの外周部（被覆部２ｂ）に密着している。
【００３２】
また、コルゲート管Ｔの挿入に伴い、インジケータ７０の金属線７４は、フレキシブル管Ｔの外面に当り、同面の凹凸に沿って、基部で下方に曲がるように変形する。図２（Ｂ）の状態では、金属線７４の露出した先端はフレキシブル管２ａの環状凸部の下側の面に接触している。
【００３３】
次に、図３に示すように、コルゲート管Ｔをさらに奥まで押し込んで、フレキシブル管２ａの端面を継手本体１０の突当り面２６に突き当てる。この状態で、ストッパ６０の爪は、フレキシブル管２ａの最先部の環状凸部を一つ超えて次の環状凹部内に入り込んで、元の径に縮径している。ここで、フレキシブル管２ａの外周面は、気密パッキン３１、耐火パッキン３５及びストッパ６０の爪に接しているが、これらの部材は導電性ではないので、これらの部材とフレキシブル管２ａとは、電気的に接続していない。また、フレキシブル管２ａの外周面はリテーナ４０の先端４３ｄに接している。リテーナ４０の先端４３ｄには、図６（Ｃ）に示すように金属製補強部材４５が露出しているが、この金属製補強部材４５は、前述のように、爪部４３の上テーパ面４３ａ及びストレート面４３ｂに露出していないので、継手本体１０やリテーナ押さえ５０とは電気的に絶縁されている。このため、フレキシブル管２ａとリテーナ４０も電気的に接続していない。
【００３４】
一方、フレキシブル管２ａの端面が突当っている突当り面２６が形成されている継手本体１０は銅合金製であって導電性であるので、両者は電気的に接続している。
【００３５】
また、図３（Ｂ）に示すように、インジケータ７０の金属線７４は、図２（Ａ）の状態よりもさらに大きく変形し、金属線７４の露出した先端はフレキシブル管２ａの環状凸部の頂上付近の下側の面に接触している。
【００３６】
ここで、電池７２のマイナス極に導通している金属線７４、同金属線７４が接触しているフレキシブル管２ａ、同フレキシブル管２ａの端面が突当っている段部２７の突当り面２６（継手本体１０）、継手本体１０とネジ固定されているリテーナ押さえ５０、リテーナ押さえ５０と電球７３の一方の極とを電気的に接続している導線７６、電球７３の他方の極と電池７２のプラス極とを接続している導線７５、は電気的に接続して閉回路が形成され、微弱電流が流れて電球７３が点灯する。つまり、フレキシブル管２ａの端面が継手本体１０の突当り面２６に当接したことを、電球７３の点灯で検知することができる。
【００３７】
電球７３の点灯を検知した後、図４に示すように、コルゲート管Ｔを手前に引き上げる。すると、フレキシブル管２ａの端面は継手本体１０の突当り面２６から離れ、前述の回路が遮断されて、電球７３が消灯する。
【００３８】
また、コルゲート管Ｔの引き上げにより、フレキシブル管２ａの環状凹部内に入り込んでいたストッパ６０の爪が、そのまま手前側に引き上げられる。この際、ストッパ６０の外周縁は、ストッパ収容部１１Ａの上方の係止段部２８の縮径テーパ面２８ａ上を摺動し徐々に押し縮められながら手前側に引き上げられる。
【００３９】
すると、ストッパ６０の上面に接していた耐火パッキン３５、その上の気密パッキン３１も、ストッパ６０で押し上げられて手前側に移動する。気密パッキン３１は、その上面で、リテーナ４０の下面を押し上げる。すると、リテーナ４０の環状支持部４２がリテーナ押さえ５０の内孔内に入るとともに、リテーナ４０の上テーパ面４３ａは、リテーナ押さえ５０のテーパ内面５７に徐々に接近していく。その結果、リテーナ４０の爪部４３が内方向に押されて変形し始めて先端部が徐々にすぼまり、各爪部４３がフレキシブル管２ａの環状凹部に入っていく。
【００４０】
次いで、図５に示すように、さらにコルゲート管Ｔを引き上げると、ストッパ６０は係止段部２８に乗り上げ、弾性により拡径して同段部２８に係合する。また、リテーナ４０の上テーパ面が４３ａリテーナ押さえ５０のテーパ面５７に面接触し、各爪部４３がフレキシブル管２ａの環状凹部に完全に嵌り込み、コルゲート管Ｔの端部が継手本体１０内に固定される。
また、気密パッキン３１と耐火パッキン３５は、ストッパ６０とリテーナ４０の間で圧縮されて、フレキシブル管２ａの外面及び継手本体１０の内周面にしっかりと密着し、十分なシール性が付与される。
【００４１】
以上説明したように、本実施形態のコルゲート管用差込み継手は、コルゲート管Ｔの先端部（フレキシブル管２ａ）を継手本体内の最奥まで差込み、その後でコルゲート管Ｔを手前に引くことにより、コルゲート管Ｔの端部が継手本体１０に固定される。ここで、コルゲート管Ｔの先端部（フレキシブル管２ａの端面）を継手本体１０内の最奥（突当り面２６）まで差込んでインジケータ７０の電球７３の点灯を確認後、コルゲート管Ｔを手前に引いて電球７３の消灯を確認することにより、両者が確実に固定されたことになる。
【００４２】
本発明における差込み継手の構造や固定メカニズムは、上述したタイプのものに限定されない。例えば、リテーナを押すリテーナ押しスリーブが、継手本体の内孔内にスライド可能に設けられたタイプのもの（例えば、特開２００３−１７６８８８）については、コルゲート管が適宜な位置まで挿入されたときに閉回路を形成するような機構を加えればよい。
【図面の簡単な説明】
【００４３】
【図１】図１（Ａ）は、本発明の第１の実施の形態に係るコルゲート管用差込み継手を示す断面図であり、図１（Ｂ）は図１（Ａ）の一部拡大図、図１（Ｃ）は一部側面図である。
【図２】図２（Ａ）は、コルゲート管差込み継手に、コルゲート管を奥付近まで挿入した状態を示す断面図であり、図２（Ｂ）は図２（Ａ）の一部拡大図である。
【図３】図３（Ａ）は、コルゲート管差込み継手に、コルゲート管を挿入完了した状態を示す断面図であり、図３（Ｂ）は図３（Ａ）の一部拡大図である。
【図４】図４（Ａ）は、図３の状態からコルゲート管をやや引き戻した状態を示す断面図であり、図４（Ｂ）は図４（Ａ）の一部拡大図である。
【図５】図５（Ａ）は、コルゲート管がコルゲート管差込み継手に固定された施工完了状態を示す図であり、図５（Ｂ）は図５（Ａ）の一部拡大図である。
【図６】リテーナの構造を示す図であり、図６（Ａ）は平面図、図６（Ｂ）は断面図、図６（Ｃ）は図６（Ｂ）の一部拡大図である。
【図７】建物のガス配管の例を模式的に示す図である。
【符号の説明】
【００４４】
１  コルゲート管用差込み継手
２ａ  フレキシブル管                    ２ｂ  被覆チューブ
５  ボディ                              １０  継手本体
１０Ａ  本体部                            １０Ｂ  接続部
１１Ａ  ストッパ収容部                    １１Ｂ  パッキン収容部
１１Ｃ  リテーナ収容部                    ２６  突当り面
２７  段部                                ２８  係止段部
２９  メネジ                              ３１  気密パッキン
３５  耐火パッキン                        ４０  リテーナ
４２  支持部                              ４３  爪部
４５  金属製補強部材
５０  リテーナ押さえ
５１  大径部                              ５３  筒状挿入部
５５  水密パッキン                        ５６  オネジ
５７  内テーパ面                          ５９  通気部材
６０  ストッパ
７０  インジケータ                        ７１  支持体
７２  電池                                ７３  電球
７４  金属線                              ７５、７６  導線
【図１】
2009058094.tif 000003
【図２】
2009058094.tif 000004
【図３】
2009058094.tif 000005
【図４】
2009058094.tif 000006
【図５】
2009058094.tif 000007
【図６】
2009058094.tif 000008
【図７】
2009058094.tif 000009